(57)【要約】【課題】連動して制御される設備の連動グループを認識することができる連動認識装置を提供する。【解決手段】施設内に設置された複数の設備に関わる設備関係情報に基づき、関連する装置が存在する設備を親設備として特定する親特定部１３と、複数の設備のうち、親特定部１３が特定した親設備以外の子設備について、当該子設備に割り振られているアドレスよりも小さく、かつ、当該子設備に割り振られているアドレスの直近のアドレスが割り振られている親設備を、当該子設備の連動先と認識する認識部１４とを備える。【選択図】図３
2019002608.tif 000002
【特許請求の範囲】
【請求項１】
施設内に設置された複数の設備に関わる設備関係情報に基づき、関連する装置が存在する設備を親設備として特定する親特定部と、
前記複数の設備のうち、前記親特定部が特定した親設備以外の子設備について、当該子設備に割り振られているアドレスよりも小さく、かつ、当該子設備に割り振られているアドレスの直近のアドレスが割り振られている親設備を、当該子設備の連動先と認識する認識部
とを備えた連動認識装置。
【請求項２】
施設内に設置された複数の設備に関わる設備関係情報に基づき、関連する装置が存在する設備を親設備として特定する親特定部と、
前記複数の設備のうち、前記親特定部が特定した親設備以外の子設備について、当該子設備に割り振られているアドレスよりも大きく、かつ、当該子設備に割り振られているアドレスの直近のアドレスが割り振られている親設備を、当該子設備の連動先と認識する認識部
とを備えた連動認識装置。
【請求項３】
前記設備関係情報とは、
前記設備に割り振られているアドレスと、当該設備に関連する装置の有無に関する情報とが紐付けられた割り振り情報である
ことを特徴とする請求項１または請求項２記載の連動認識装置。
【請求項４】
前記設備関係情報とは、
前記設備から送信される、当該設備が前記関連する装置と接続されているか否かを示す情報である
ことを特徴とする請求項１または請求項２記載の連動認識装置。
【請求項５】
前記設備関係情報とは、
前記設備から送信される、自身が前記親設備であるか否かを表す情報である
ことを特徴とする請求項１または請求項２記載の連動認識装置。
【請求項６】
施設内に設置された複数の設備、および、当該設備に関係する１つ以上の装置からモニタコマンドを取得し、取得したモニタコマンドが、前記装置から取得したモニタコマンドである場合に、当該装置を親として特定する親特定部と、
前記複数の設備について、当該設備に割り振られているアドレスよりも小さく、かつ、当該設備に割り振られているアドレスの直近のアドレスが割り振られている親を、当該設備の連動先と認識する認識部
とを備えた連動認識装置。
【請求項７】
施設内に設置された複数の設備、および、当該設備に関係する１つ以上の装置からモニタコマンドを取得し、取得したモニタコマンドが、前記装置から取得したモニタコマンドである場合に、当該装置を親として特定する親特定部と、
前記複数の設備について、当該設備に割り振られているアドレスよりも大きく、かつ、当該設備に割り振られているアドレスの直近のアドレスが割り振られている親を、当該設備の連動先と認識する認識部
とを備えた連動認識装置。
【請求項８】
前記装置とは前記設備の動作に関連する設定を行う設定装置である
ことを特徴とする請求項１から請求項７のうちのいずれか１項記載の連動認識装置。
【請求項９】
前記装置とは前記設備の動作に関連する設定を行う設定装置、および、前記設備の動作に関連する検出を行う検出装置である
ことを特徴とする請求項１から請求項７のうちのいずれか１項記載の連動認識装置。
【請求項１０】
前記設備とは風量を調整する可変風量制御設備である
ことを特徴とする請求項１から請求項９のうちのいずれか１項記載の連動認識装置。
【請求項１１】
親特定部が、施設内に設置された複数の設備に関わる設備関係情報に基づき、関連する装置が存在する設備を親設備として特定するステップと、
認識部が、前記複数の設備のうち、前記親特定部が特定した親設備以外の子設備について、当該子設備に割り振られているアドレスよりも小さく、かつ、当該子設備に割り振られているアドレスの直近のアドレスが割り振られている親設備を、当該子設備の連動先と認識するステップ
とを備えた連動認識方法。
【請求項１２】
ネットワークを介して、制御装置に対してモニタコマンドを送信するコマンド送信部と、
前記制御装置から、施設内に設置された複数の設備に関わる設備関係情報を受信する割り振り情報受信部と、
前記割り振り情報受信部が受信した設備関係情報に基づき、関連する装置が存在する設備を親設備として特定する親特定部と、
前記複数の設備のうち、前記親特定部が特定した親設備以外の子設備について、当該子設備に割り振られているアドレスよりも小さく、かつ、当該子設備に割り振られているアドレスの直近のアドレスが割り振られている親設備を、当該子設備の連動先と認識する認識部とを有する連動認識装置と、
前記連動認識装置から前記モニタコマンドを受信した場合に、前記連動認識装置に対して前記設備関係情報を送信する割り振り情報送信部とを有する制御装置
とを備えた連動認識システム。
【発明の詳細な説明】
【技術分野】
【０００１】
この発明は、ＶＡＶ（Ｖａｒｉａｂｌｅ  Ａｉｒ  Ｖｏｌｕｍｅ  Ｃｏｎｔｒｏｌ）制御（可変風量制御）の機能を搭載する全館空調システムにおいて、連動して制御される設備の連動グループを認識する連動認識装置、連動認識方法、および、連動認識システムに関するものである。
【背景技術】
【０００２】
従来から、空調を行う設備をグループに分けて空調制御を行う空調システムが知られている。例えば、複数の空気調和機を接続可能な空調システムにおいて、リモートコントローラが、複数の空気調和機が接続されているアドレスに基づき当該複数の空気調和機のグループ分けを行い、グループごとに空調制御を行うようにする技術が開示されている（例えば、特許文献１）。
特許文献１に開示されている技術では、隣接するアドレスを有する空気調和機を同一グループに割り付け、あるグループと他のグループの間のアドレスには空気調和機が接続されないようにし、アドレスの空きを設けて、別のグループであることを認識できるようにしている。
【先行技術文献】
【特許文献】
【０００３】
【特許文献１】特開２０１３−２１７５１５号公報
【発明の概要】
【発明が解決しようとする課題】
【０００４】
ＶＡＶ制御の機能を搭載する全館空調システムにおいては、空調機が、例えば、各部屋単位でＶＡＶ制御を行う。すなわち、各部屋単位で、設置された空調を行う設備が１つの連動グループとなって、連動して制御され、各部屋に設置された空調を行う設備の連動グループが、空調機による空調制御の単位となる。
このようなＶＡＶ制御の機能を搭載する全館空調システムにおいて、連動して制御される設備の連動グループを認識する方法として、特許文献１に開示されているような、空気調和機が所属するグループの認識方法を適用することが考えられる。
しかしながら、特許文献１に開示されているような技術では、上述のとおり、アドレスの空きによって各グループの認識を行うため、設備に接続するアドレスの空きがなければ連動グループを認識することができないという課題があった。
【０００５】
この発明は、上記のような課題を解決するためになされたもので、連動して制御される設備の連動グループを認識することができる連動認識装置を提供することを目的とする。
【課題を解決するための手段】
【０００６】
この発明に係る連動認識装置は、施設内に設置された複数の設備に関わる設備関係情報に基づき、関連する装置が存在する設備を親設備として特定する親特定部と、複数の設備のうち、親特定部が特定した親設備以外の子設備について、当該子設備に割り振られているアドレスよりも小さく、かつ、当該子設備に割り振られているアドレスの直近のアドレスが割り振られている親設備を、当該子設備の連動先と認識する認識部とを備えたものである。
【発明の効果】
【０００７】
この発明によれば、連動して制御される設備の連動グループを認識することができる。
【図面の簡単な説明】
【０００８】
【図１】この発明の実施の形態１に係る連動認識装置を備えた連動認識システムの概略構成図である。
【図２】この実施の形態１の連動認識システムが適用される全館空調システムの概略構成図である。
【図３】実施の形態１の連動認識装置の概略構成図である。
【図４】実施の形態１の制御装置の概略構成図である。
【図５】実施の形態１において、割り振り情報記憶部に記憶されている割り振り情報の一例を説明するための図である。
【図６】実施の形態１の連動認識装置の動作を説明するためのフローチャートである。
【図７】実施の形態１において、親特定部が記憶部に一時保存した割り振り情報の内容の一例を示す図である。
【図８】実施の形態１において、認識部が、連動して制御されるべき吹出し口の連動グループを認識した結果のイメージの一例を示す図である。
【図９】実施の形態１において、連動認識装置が連動して制御される吹出し口の連動グループを認識する動作のイメージの一例を説明する図である。
【図１０】実施の形態１の制御装置の動作を説明するためのフローチャートである。
【図１１】実施の形態１において、連動認識装置１が、吹出し口と温度センサとの関連付けに基づき、測定温度連動グループを認識する動作の一例のイメージを示す図である。
【図１２】実施の形態１において、連動認識装置が、関連付けられたリモコンが存在するかどうかに加え、関連付けられた温度センサが存在するかどうかに応じて、それぞれ、親吹出し口を特定し、連動して制御される複数の吹出し口の連動グループを認識する動作の一例のイメージを示す図である。
【発明を実施するための形態】
【０００９】
以下、この発明の実施の形態について、図面を参照しながら詳細に説明する。
実施の形態１．
図１は、この発明の実施の形態１に係る連動認識装置１を備えた連動認識システムの概略構成図である。
この実施の形態１の連動認識システムは、全館空調システムに適用されることを前提としている。
まず、全館空調システムについて説明する。
図２は、この実施の形態１の連動認識システムが適用される全館空調システムの概略構成図である。
図２では、一例として、全館空調システムは、建物内の４つの部屋２００ａ〜２００ｄを対象に空調を行うものとしている。
なお、これは一例に過ぎず、全館空調システムは、例えば、２つまたは４つ以上の部屋を空調するものとしてもよいし、空調の対象を、建物内の通路等としてもよい。
【００１０】
また、図２では、全館空調システムにおいて、建物は、例えば２階建てとし、１階の部屋２００ｃ，２００ｄと、２階の部屋２００ａ，２００ｂを対象に空調を行う場合を示しているが、これは一例に過ぎず、全館空調システムは、１階建ての建物内、または、３階以上の階を有する建物内を対象に空調を行うものであってもよい。
また、この実施の形態１では、全館空調システムは、ＶＡＶ制御（可変風量制御）の機能を搭載するものを想定している。ＶＡＶ制御では、建物内の部屋２００ａ〜２００ｄごとの温度設定を可能とし、吹出し口３００ａ〜３００ｅ（詳細は後述する）等に設置された、ダンパ等の可変風量装置（図示省略）が各部屋２００ａ〜２００ｄへの風量を調整することで、各２００ａ〜２００ｄの温度を設定温度に近づける制御を行う。
【００１１】
全館空調システムは、冷風または温風等を生成し送出する空調機１００と、空調機１００が生成した冷風または温風等が導入されるチャンバ４００と、チャンバ４００に接続されて部屋２００ａ〜２００ｄの吹出し口３００ａ〜３００ｅに通じるダクト５００ａ〜５００ｅと、可変風量装置で構成される。
空調機１００は、廊下等の室内に設置される室内機（図示省略）と室外に設置される室外機（図示省略）とで構成される。図２では、空調機１００は、室内機を示すものとしている。
空調機１００は、例えば天井裏に設置されたチャンバ４００にダクト５００ｅを介して接続され、空調機１００が生成し、送出した冷風または温風等は、チャンバ４００内へ導入される。
空調機１００側からチャンバ４００内へ導入された冷風または温風等は、ダクト５００ａ〜５００ｄに分岐して、それぞれ、部屋２００ａ〜２００ｄに設置された吹出し口３００ａ〜３００ｅから、各部屋２００ａ〜２００ｄ内に送出される。すなわち、空調機１００で生成された冷風または温風等の空気は、吹出し口３００ａ〜３００ｅから、各部屋２００ａ〜２００ｄに供給される。
【００１２】
吹出し口３００ａ〜３００ｅから吹き出された冷風または温風等は、ダクト５００ａ〜５００ｅにつながる各部屋２００ａ〜２００ｄの吹出し口３００ａ〜３００ｅ等に備えられた可変風量装置の開度によって送風量を調整される。調整されて送出されることで各部屋２００ａ〜２００ｄに供給された空気は、各部屋２００ａ〜２００ｄを通過した後、空調機１００に戻される。
【００１３】
空調機１００は、例えば、各部屋２００ａ〜２００ｄに対応するリモートコントローラ２０ａ〜２０ｄ（以下、リモコンという）から取得した、各部屋２００ａ〜２００ｄにおける設定温度の情報に基づき、吹出し空気の温度制御動作を実行する。ユーザは、リモコン２０ａ〜２０ｄを操作して各部屋２００ａ〜２００ｄの設定温度を、所望の温度とする。
図２では、リモコン２０ａから部屋２００ａにおけるユーザの所望の温度が設定され、リモコン２０ｂから部屋２００ｂにおけるユーザの所望の温度が設定され、リモコン２０ｃから部屋２００ｃにおけるユーザの所望の温度が設定され、リモコン２０ｄから部屋２００ｄにおけるユーザの所望の温度が設定されるものとしている。
このように、この実施の形態１の全館空調システムでは、空調機１００が冷風または温風等の送出制御を行う部屋２００ａ〜２００ｄ単位で、対応するリモコン２０ａ〜２０ｄが設けられる。
なお、上述した空調機１００の制御動作は一例に過ぎず、空調機１００は、上述したような、温度制御動作のほかにも各種制御動作を実行する。例えば、空調機１００は、リモコン２０ａ〜２０ｄから取得した温度調節の情報に基づき、温度調節をＯＮ、または、ＯＦＦする制御動作を実行する。また、空調機１００は、例えば、リモコン２０ａ〜２０ｄから取得した風量設定の情報に基づき、風量を強風、弱風、微風とする等の風量制御動作を実行する。
【００１４】
この実施の形態１の全館空調システムでは、１つのリモコン２０ａ〜２０ｄに対して、当該リモコン２０ａ〜２０ｄに対応する部屋２００ａ〜２００ｄに設置された１つの吹出し口３００ａ〜３００ｅが関連付けられていることを前提とする。具体的には、各吹出し口３００ａ〜３００ｅにはアドレスが割り振られ、当該アドレスと、リモコン２０ａ〜２０ｄとが関連付けられる。
【００１５】
部屋２００ａ〜２００ｄに複数の吹出し口３００ａ〜３００ｅが設置されている場合には、当該複数の吹出し口３００ａ〜３００ｅのうちの１つが、代表となって、対応するリモコン２０ａ〜２０ｄと関連付けられる。
図２の例でいうと、部屋２００ｃには、吹出し口３００ｃと吹出し口３００ｄの、２つの吹出し口が設置されている。この場合、例えば、吹出し口３００ｃが代表となって、対応するリモコン２０ｃと関連付けられる。
【００１６】
上述のとおり、空調機１００は、リモコン２０ａ〜２０ｄから取得した各部屋２００ａ〜２００ｄにおける設定温度の情報に基づき、吹出し空気の温度制御動作を実行する。
そのために、空調機１００は、リモコン２０ａ〜２０ｄと、各部屋２００ａ〜２００ｄに設置された吹出し口３００ａ〜３００ｅとの関連を把握する必要がある。
１つのリモコン２０ａ〜２０ｄに対して、当該リモコン２０ａ〜２０ｄに対応する部屋２００ａ〜２００ｄに設置された１つの吹出し口３００ａ〜３００ｅが関連付けられているので、空調機１００は、当該関連付けから、リモコン２０ａ〜２０ｄと、当該リモコン２０ａ〜２０ｄに関連付けられている１つの吹出し口３００ａ〜３００ｅについては、その関連を把握することは可能である。
一方で、例えば、上述の部屋２００ｃのように、１つの部屋２００ｃに複数の吹出し口３００ｃ，３００ｄが設置されている場合、リモコン２０ｃと吹出し口３００ｄは、関連付けが行われない。しかしながら、吹出し口３００ｄは、吹出し口３００ｃと連動し、吹出し口３００ｃから送出される冷風または温風等と同様の送出制御が行われる必要がある。
【００１７】
そこで、この実施の形態１に係る連動認識システムでは、連動認識装置１が、連動して制御されるべき吹出し口３００ａ〜３００ｅの連動グループを認識し、空調機１００は、連動認識装置１が認識した連動グループ単位で、対応するリモコン２０ａ〜２０ｄから取得した設定温度の情報に基づき、吹出し空気の温度制御動作を実行する。具体的には、上述のとおり、空調機１００は、吹出し口３００ａ〜３００ｅ等に備えられた可変風量装置の開度によって、送風量を調整する。連動認識装置１の詳細については後述する。
【００１８】
図１の説明に戻る。
以下の説明において、吹出し口３００ａ〜３００ｅは、まとめて吹出し口３００ともいうものとする。また、以下の説明において、リモコン２０ａ〜２０ｄは、まとめてリモコン２０ともいうものとする。
この実施の形態１の連動認識システムは、連動認識装置１と、制御装置２とを備える。この実施の形態１では、制御装置２は、各吹出し口３００に備えられるものとする。連動認識装置１と制御装置２とは、ネットワークを介して接続される。
なお、図１では、説明の簡単のため、制御装置２は１つのみを示しているが、連動認識装置１は、各吹出し口３００に備えられた各制御装置２と接続される。
【００１９】
連動認識装置１は、吹出し口３００に関わる設備関係情報に基づき、連動して制御されるべき吹出し口３００の連動グループを認識する。例えば、連動認識装置１は、吹出し口３００のアドレスとリモコン２０との関連付けを示す情報を設備関係情報として、連動グループを認識する。
実施の形態１では、吹出し口３００のアドレスとリモコン２０との関連付けを示す情報を、割り振り情報といい、以下の説明では、連動認識装置１は、当該割り振り情報を設備関係情報とし、当該割り振り情報に基づき、連動グループを認識するものとする。当該割り振り情報の詳細については後述する。
連動認識装置１は、割り振り情報を、制御装置２から取得し、連動して制御されるべき吹出し口３００の連動グループを認識する。
【００２０】
制御装置２は、割り振り情報を管理し、連動認識装置１に対して、当該割り振り情報を送信する。
【００２１】
図３は、実施の形態１の連動認識装置１の概略構成図である。
連動認識装置１は、図３に示すように、コマンド送信部１１と、割り振り情報受信部１２と、親特定部１３と、認識部１４とを備える。
コマンド送信部１１は、ネットワークを介して、制御装置２に、モニタコマンドを送信する。コマンド送信部１１は、吹出し口３００に割り振られているアドレスの昇順に、モニタコマンドを送信する。具体的には、コマンド送信部１１は、予め決められた一定範囲内のアドレスに対して、当該アドレスの昇順に、モニタコマンドを送信する。当該予め決められた一定範囲において、吹出し口３００のアドレスが割り振られている。
なお、予め決められた一定範囲のアドレスは、予め、連動認識装置１が参照可能な場所に記憶されており、コマンド送信部１１は、当該記憶されたアドレスの情報に基づき、モニタコマンドを送信する。
【００２２】
割り振り情報受信部１２は、コマンド送信部１１が送信したモニタコマンドに対応して、制御装置２から送信される割り振り情報を受信する。割り振り情報受信部１２は、受信した割り振り情報を、親特定部１３に出力する。
【００２３】
親特定部１３は、割り振り情報受信部１２から出力された割り振り情報に基づき、関連付けられたリモコン２０が存在する吹出し口３００を、親吹出し口と特定する。親特定部１３は、特定した親吹出し口の割り振り情報を、記憶部（図示省略）に一時保存する。なお、この際、親特定部１３は、例えば、親フラグを付与する等、一時保存した割り振り情報が、親吹出し口の割り振り情報であることがわかるようにして、当該割り振り情報を一時保存するようにする。これは一例に過ぎず、親特定部１３は、親吹出し口の割り振り情報であることがわかるように、当該割り振り情報を一時保存するようになっていればよい。
親特定部１３は、割り振り情報に基づき、関連付けられたリモコン２０が存在しない吹出し口３００については、親吹出し口ではない（子吹出し口）と判断し、そのまま記憶部に一時保存する。
【００２４】
認識部１４は、親特定部１３が記憶部に一時保存した割り振り情報を取得し、取得した割り振り情報に基づき、連動して制御されるべき吹出し口３００の連動グループを認識する。具体的には、まず、認識部１４は、親吹出し口以外の吹出し口３００を、子吹出し口として特定する。
そして、認識部１４は、子吹出し口について、当該子吹出し口に割り振られているアドレスより小さく、かつ、当該子吹出し口に割り振られているアドレスの直近のアドレスの親吹出し口を検索し、検索した親吹出し口を、子吹出し口の連動先とする。なお、認識部１４は、子吹出し口が複数存在する場合は、各子吹出し口について、所属する連動グループの認識を行う。
その結果、全ての吹出し口３００について、連動して制御されるべき吹出し口３００の連動グループが認識されることになる。
空調機１００は、認識部１４が認識した連動グループに基づき、当該連動グループ単位で、対応するリモコン２０ａ〜２０ｄから取得した設定温度の情報に基づき、吹出し空気の温度制御動作を実行する。
【００２５】
図４は、実施の形態１の制御装置２の概略構成図である。
制御装置２は、図４に示すように、コマンド受信部２１と、割り振り情報取得部２２と、割り振り情報送信部２３と、割り振り情報記憶部２４とを備える。
コマンド受信部２１は、連動認識装置１から、ネットワークを介して、モニタコマンドを受信する。コマンド受信部２１は、モニタコマンドを受信した旨の情報を、割り振り情報取得部２２に出力する。
【００２６】
割り振り情報取得部２２は、コマンド受信部２１から、モニタコマンドを受信した旨の情報が出力されると、割り振り情報記憶部２４を参照し、割り振り情報記憶部２４に記憶されている割り振り情報を取得する。割り振り情報取得部２２は、取得した割り振り情報を割り振り情報送信部２３に出力する。
ここで、図５は、実施の形態１において、割り振り情報記憶部２４に記憶されている割り振り情報の一例を説明するための図である。
割り振り情報記憶部２４には、図５に示すように、例えばＩＤまたは名称等、吹出し口３００を特定する情報と、吹出し口３００に割り振られたアドレスと、関連付けられたリモコンの情報とが紐付けられた割り振り情報が記憶されている。
当該割り振り情報の設定作業は、予め、管理者等が、空調機１００等の設置時等に行う。
【００２７】
図５では、吹出し口Ａの割り振り情報を一例として示しているが、管理者等は、空調管理システム内に設置された全ての吹出し口３００について割り振り情報の設定を行う。例えば、図２の例でいうと、管理者等は、吹出し口３００ａ〜３００ｅについて、割り振り情報の設定を行う。
その際、管理者等は、１つのリモコン２０に対して、当該リモコン２０に対応する１つの吹出し口３００に、リモコン２０の情報を関連付けて、割り振り情報に設定する。また、管理者等は、連動して制御させる吹出し口３００については、連続したアドレスを付与するようにする。例えば、図２の例でいうと、吹出し口３００ｃと吹出し口３００ｄは連続したアドレスが付与され、吹出し口３００ｃの割り振り情報には、リモコン２０ｃの情報が設定され、吹出し口３００ｄの割り振り情報には、リモコンの情報は設定されないことになる。管理者等は、連動して制御させる複数の吹出し口３００がある場合は、代表とする１つの吹出し口３００に一番小さいアドレスを割り振り、当該代表とする１つの吹出し口３００にリモコン２０の情報を関連付けて、割り振り情報を設定するようにする。すなわち、図２の例でいうと、吹出し口３００ｃは、吹出し口３００ｄよりも小さいアドレスが割り振られる。
【００２８】
管理者等は、連動して制御させる複数の吹出し口３００の連動グループが複数存在する場合、連動グループ間のアドレスに、連続したアドレスを割り振る。
例えば、４台の吹出し口Ｘ，Ｙ，Ｚ，Ｗがあり、当該４台の吹出し口Ｘ，Ｙ，Ｚ，Ｗを、吹出し口Ｘ，Ｙと吹出し口Ｚ，Ｗの２台ずつに分け、それぞれ、リモコンｘ，ｙと連動して制御させるものとするとする。この場合、管理者等は、例えば、吹出し口Ｘ，Ｙ，Ｚ，Ｗに、それぞれ、「１１」，「１２」，「１３」，「１４」のアドレスを割り振り、吹出し口Ｘ，Ｚに、リモコンｘ，ｙを関連付けた割り振り情報を設定する。なお、管理者等は、例えば、アドレス「１３」を空きアドレスとし、吹出し口Ｘ，Ｙ，Ｚ，Ｗに、「１１」，「１２」，「１４」，「１５」のアドレスを割り振るようにしても構わない。連動して制御させる複数の吹出し口３００のアドレスをアドレス順に並べた際に、間に他の連動グループに属する吹出し口３００のアドレスが挟まれないように、連動して制御させる吹出し口３００のアドレスが割り振られるようになっていればよい。
【００２９】
また、この実施の形態１では、図５に示すように、割り振り情報には、リモコンの情報として、リモコン２０のＩＤまたは名称等、吹出し口３００に対応するリモコン２０が特定できる情報を設定するようにしているが、これに限らず、吹出し口３００に対応するリモコン２０があるかないかの情報を設定するようにしてもよく、割り振り情報から、吹出し口３００に対応付けられたリモコン２０の有無が判断できるようになっていればよい。
【００３０】
割り振り情報送信部２３は、割り振り情報取得部２２から出力された割り振り情報を、ネットワークを介して、連動認識装置１に送信する。
【００３１】
割り振り情報記憶部２４は、図５に示したような割り振り情報を記憶する。
なお、この実施の形態１では、制御装置２が割り振り情報記憶部２４を備えるようにしたが、これに限らず、割り振り情報記憶部２４は制御装置２の外部の、制御装置２が参照可能な場所に備えられるようにしてもよい。
【００３２】
この実施の形態１の連動認識システムにおける、連動認識装置１および制御装置２の動作について、図面を用いて説明する。
図６は、実施の形態１の連動認識装置１の動作を説明するためのフローチャートである。
コマンド送信部１１は、例えば、連動認識装置１に電源が投入されると、ネットワークを介して、制御装置２に、モニタコマンドを送信する（ステップＳＴ６０１）。なお、コマンド送信部１１は、吹出し口３００に割り振られたアドレスの昇順に、モニタコマンドを送信する。
【００３３】
制御装置２では、モニタコマンドを受信し、当該モニタコマンドに対する応答として、連動認識装置１に、割り振り情報（図５参照）を送信する。制御装置２における動作の詳細については後述する。
【００３４】
割り振り情報受信部１２は、制御装置２から割り振り情報を受信すると（ステップＳＴ６０２の“ＹＥＳ”の場合）、受信した割り振り情報を、親特定部１３に出力する。
割り振り情報受信部１２は、割り振り情報を受信できない場合（ステップＳＴ６０２の“ＮＯ”の場合）、ステップＳＴ６０１において送信したモニタコマンドの送信先のアドレスには制御装置２が接続されていないものとみなし、その旨をコマンド送信部１１に通知する。そして、コマンド送信部１１は、次のアドレスに対してモニタコマンドを送信する。
なお、コマンド送信部１１は、割り振り情報受信部１２から、割り振り情報を受信していない旨の通知が出力された場合、予め決められた一定回数、モニタコマンドの再送処理を行うようにしてもよい。その結果、予め設定された一定期間、割り振り情報が受信されない場合に、コマンド送信部１１は、次のアドレスに対してモニタコマンドを送信するようにしてもよい。
また、割り振り情報受信部１２において、割り振り情報を受信できない場合、制御部（図示省略）が、該当のアドレスには制御装置２が接続されていない旨の通知等を出力するようにしてもよい。
【００３５】
親特定部１３は、ステップＳＴ６０２において割り振り情報受信部１２から出力された割り振り情報に基づき、親吹出し口の割り振り情報であるかどうかを判定する（ステップＳＴ６０３）。具体的には、親特定部１３は、割り振り情報に、関連付けられたリモコン２０の情報が設定されているかどうかによって、親吹出し口の割り振り情報であるかどうかを判定する。
ステップＳＴ６０３において、親吹出し口の割り振り情報であると判定した場合（ステップＳＴ６０３の“ＹＥＳ”の場合）、親特定部１３は、割り振り情報に基づく、関連付けられたリモコン２０が存在する吹出し口３００を、親吹出し口と特定する（ステップＳＴ６０４）。そして、親特定部１３は、特定した親吹出し口の割り振り情報を、記憶部（図示省略）に一時保存する（ステップＳＴ６０５）。
【００３６】
一方、ステップＳＴ６０３において、親吹出し口の割り振り情報ではないと判定した場合（ステップＳＴ６０３の“ＮＯ”の場合）、すなわち、割り振り情報に、関連付けられたリモコン２０の情報が設定されていない場合、親特定部１３は、関連付けられたリモコン２０が存在しない子吹出し口であると判定し、ステップＳＴ６０４の処理はスキップして、割り振り情報をそのまま、記憶部に一時保存する（ステップＳＴ６０５）。
【００３７】
ステップＳＴ６０６において、コマンド送信部１１は、設定可能アドレス範囲に対して全てのモニタコマンドの送信が完了した場合、すなわち、送信したモニタコマンドが設定可能アドレス範囲における最大アドレスの場合（ステップＳＴ６０６の“ＹＥＳ”の場合）、ステップＳＴ６０７へ進む。
【００３８】
ステップＳＴ６０６において、コマンド送信部１１は、設定可能アドレス範囲に対して全てのモニタコマンドの送信が完了していない場合（ステップＳＴ６０６の“ＮＯ”の場合）、ステップＳＴ６０１に戻り、コマンド送信部１１は、次のアドレスに対して、モニタコマンドの送信を行う。
【００３９】
認識部１４は、ステップＳＴ６０５において親特定部１３が記憶部に一時保存した割り振り情報を取得し、取得した割り振り情報に基づき、連動して制御されるべき吹出し口３００の連動グループを認識する（ステップＳＴ６０７）。具体的には、まず、認識部１４は、割り振り情報に基づき、子吹出し口を特定する。そして、認識部１４は、子吹出し口について、割り振り情報に基づき、当該子吹出し口に割り振られているアドレスより小さく、かつ、当該子吹出し口に割り振られているアドレスの直近の、親吹出し口を検索し、検索した親吹出し口を、子吹出し口の連動先とする。
【００４０】
ここで、例えば、ステップＳＴ６０５において親特定部１３が記憶部に一時保存した割り振り情報が、図７に示すような内容であったとする。
なお、図７では、一例として、親特定部１３は、親吹出し口の割り振り情報であることがわかるように、親吹出し口の割り振り情報に親フラグを付与しているものとしている。
上述のとおり、ステップＳＴ６０１において、コマンド送信部１１は、吹出し口３００に割り振られているアドレスの昇順にモニタコマンドを送信するため、記憶部には、アドレスの昇順に、制御装置２から送信される割り振り情報が記憶される。よって、認識部１４が記憶部から取得する割り振り情報も、アドレスの昇順となっている。認識部１４は、再度、アドレス順に並ぶように、記憶部から取得した割り振り情報の並べ替えを行うようにしてもよい。
【００４１】
図７に示すように、吹出し口Ａ，Ｂ，Ｃ，Ｅは、それぞれ、関連付けられたリモコンａ，ｂ，ｃ，ｄが存在する親吹出し口である。したがって、ステップＳＴ６０４において、親特定部１３は、吹出し口Ａ，Ｂ，Ｃ，Ｅの割り振り情報に、それぞれ、親フラグ「１」を付与している。
認識部１４は、吹出し口Ｄを、子吹出し口と特定する。
【００４２】
そして、認識部１４は、当該吹出し口Ｄについて、当該吹出し口Ｄに割り振られているアドレス「４」より小さく、かつ、当該吹出し口Ｄに割り振られたアドレス「４」の直近の親吹出し口を検索する。その結果、認識部１４によって、吹出し口Ｃが検索される。
認識部１４は、検索された吹出し口Ｃを、吹出し口Ｄの連動先と認識する。
【００４３】
その結果、図８に示すようなイメージの割り振り情報が生成され、連動して制御されるべき吹出し口３００の連動グループが認識されることになる。図８では、吹出し口Ｄの連動先として吹出し口Ｃが認識されたことを示すため、吹出し口Ｃには親フラグの代わりに連動先の情報が付与されたものとしている。
認識部１４は、全ての吹出し口３００について連動グループが認識された割り振り情報を、空調機１００に送信する。これに限らず、認識部１４は、例えば、全ての吹出し口３００について連動グループが認識された割り振り情報を、空調機１００が参照可能な場所に記憶させるようにしてもよい。
空調機１００は、認識部１４が認識した連動グループに基づき、当該連動グループ単位で、対応するリモコン２０ａ〜２０ｄから取得した設定温度の情報に基づき、吹出し空気の温度制御動作を実行する。
【００４４】
認識部１４は、記憶部を初期化する（ステップＳＴ６０８）。
【００４５】
図９は、実施の形態１において、連動認識装置１が連動して制御される吹出し口３００の連動グループを認識する動作のイメージの一例を説明する図である。図９Ａは、連動認識装置１が連動して制御される吹出し口３００の連動グループを認識する前の状態のイメージの一例であり、図９Ｂは、図９Ａの状態から、連動認識装置１が、連動して制御される吹出し口３００の連動グループを認識した結果のイメージの一例である。
【００４６】
図９は、一例として、空調機１００が、建物内の玄関、ＬＤＫ、および、部屋１〜４単位で、吹出し空気の温度制御動作を実行し、玄関、ＬＤＫ、および、部屋１〜４には、それぞれ、ユーザが所望の温度を設定するためのリモコン２０が存在する場合に、連動認識装置１が、連動して制御される吹出し口３００の連動グループを認識する動作のイメージを示している。
玄関、および、部屋３，４は、空間的に狭い領域であり、領域内には、吹出し口３００が１つのみ設置され、ＬＤＫ、および、部屋１，２は、空間的に広い領域であり、領域内には、複数の吹出し口３００が設置されているものとしている。そして、ＬＤＫ、および、部屋１，２の、領域内に設置された複数の吹出し口３００については、１つの吹出し口３００が、代表してリモコン２０と関連付けられる（図９Ａ参照）。
図９Ａに示す状態の場合、連動認識装置１は、図９Ｂに示すように、６つの連動グループを認識することになる。
【００４７】
図１０は、実施の形態１の制御装置２の動作を説明するためのフローチャートである。
コマンド受信部２１は、ネットワークを介して、連動認識装置１から送信されるモニタコマンド（図６のステップＳＴ６０１参照）を受信するまで待機し（ステップＳＴ１００１の“ＮＯ”の場合）、連動認識装置１から送信されるモニタコマンドを受信すると（ステップＳＴ１００１の“ＹＥＳ”の場合）、モニタコマンドを受信した旨の情報を、割り振り情報取得部２２に出力する。
【００４８】
割り振り情報取得部２２は、ステップＳＴ１００１において、コマンド受信部２１から、モニタコマンドを受信した旨の情報が出力されると、割り振り情報記憶部２４を参照し、割り振り情報記憶部２４に記憶されている割り振り情報を取得する（ステップＳＴ１００２）。割り振り情報取得部２２は、取得した割り振り情報を、割り振り情報送信部２３に出力する。
【００４９】
割り振り情報送信部２３は、ステップＳＴ１００２において割り振り情報取得部２２から出力された割り振り情報を、ネットワークを介して、連動認識装置１に送信する（ステップＳＴ１００３）。
【００５０】
以上のように、連動認識装置１は、制御装置２から送信される割り振り情報に基づき、吹出し口３００とリモコン２０との関連付けに応じて、連動して制御される吹出し口３００の連動グループを認識する。また、連動認識装置１は、リモコン２０と関連付けられていない子吹出し口については、当該子吹出し口に割り振られているアドレスより小さく、かつ、当該子吹出し口に割り振られているアドレスの直近の親吹出し口を、当該子吹出し口の連動先と認識する。これにより、親吹出し口と連動して制御される子吹出し口を、親吹出し口と同じ連動グループと認識することができる。
【００５１】
従来の技術では、連動して制御される空気調和機の、異なるグループを判別するためには、グループ間に空きのアドレスを設ける必要があった。
例えば、従来の技術において、４台の空気調和機ａ，ｂ，ｃ，ｄで２台ずつのグループＡＢ，ＣＤを作る場合、空気調和機ａ，ｂ，ｃ，ｄには、それぞれ、「１０１」，「１０２」，「１０４」，「１０５」というアドレスが割り振られ、空気調和機ｂと空気調和機ｃのアドレスの間にはアドレスの空きが設けられることになる。
この方法では、アドレス空間が一意に定義されても、グループの構成によっては、接続できる端末台数が異なってしまう。例えば、アドレス空間がアドレス「１０１」からアドレス「１０６」までであったとすると、当該アドレス空間のアドレスが割り振られる吹出し口３００が全て同一のグループなら、当該アドレス空間のアドレスは６台の吹出し口３００に割り振ることができる。しかし、例えば、当該アドレス空間のアドレスが割り振られる吹出し口３００を全て異なるグループとしたい場合は、当該アドレス空間のアドレスは、３台の吹出し口３００にしか割り振ることができないことになる。つまり、アドレス空間内の全アドレスのうちの半分程度しか、吹出し口３００に割り振ることができない。
【００５２】
これに対し、この実施の形態１の連動認識装置１は、吹出し口３００とリモコン２０との関連付けに応じて、吹出し口３００の連動グループの認識を行うことができるため、管理者等は、予め、吹出し口３００にアドレスを割り振る際に、連動して制御させたい複数の吹出し口３００が存在する場合には、従来の技術のように、連動グループ間で空きアドレスを設ける必要がない。そのため、アドレス空間内の全てのアドレスを利用することが可能となり、吹出し口３００の接続可能台数も少なくならないようにすることができる。
【００５３】
なお、以上の実施の形態１では、管理者等は、予め、代表とする１つの吹出し口３００に一番小さいアドレスを割り振るようにしたが、これに限らず、管理者等は、予め、代表とする１つの吹出し口３００に一番大きいアドレスを割り振るようにしてもよい。
この場合、認識部１４は、割り振り情報に基づき、子吹出し口に割り振られているアドレスよりも大きく、かつ、当該子吹出し口に割り振られているアドレスの直近のアドレスが割り振られている親吹出し口を、当該子吹出し口の連動先と認識するようにする。
【００５４】
また、以上の実施の形態１では、連動認識装置１において、親特定部１３は、割り振り情報受信部１２から出力された割り振り情報に基づき、関連付けられたリモコン２０が存在する吹出し口３００を、親吹出し口と特定するようにしていた（図６のステップＳＴ６０３，６０４参照）。
しかしながら、これに限らず、親特定部１３は、関連付けられたリモコン２０が存在する吹出し口３００を親吹出し口と特定することに加え、吹出し口３００のその他の関連付けに基づき、親吹出し口を特定するようにしてもよい。
例えば、親特定部１３は、温度センサが関連付けられている吹出し口３００を、親吹出し口とするようにしてもよい。これにより、連動認識装置１は、測定温度連動グループについても認識することができる。
なお、吹出し口３００と温度センサの関連付けについては、吹出し口３００とリモコン２０の関連付け同様、管理者等が予め行い、割り振り情報に、温度センサの関連付け情報も設定するようにしておく。
【００５５】
図１１は、実施の形態１において、連動認識装置１が、吹出し口３００と温度センサとの関連付けに基づき、測定温度連動グループを認識する動作の一例のイメージを示す図である。
例えば、図１１に示すように、吹出し口１〜８の８つの吹出し口があり、そのうち、吹出し口１，３，５，７に、温度センサが接続されているとする。
この場合、連動認識装置１において、親特定部１３は、吹出し口１，３，５，７を親吹出し口と特定し、認識部１４は、吹出し口１，２、吹出し口３，４、吹出し口５，６、および、吹出し口７，８を、それぞれ、連動して制御されるべき測定温度連動グループであると認識する。
【００５６】
また、実施の形態１において、連動認識装置１は、吹出し口３００に、複数の関連付けが設定されている場合でも、当該複数の関連付けに基づき、連動グループを認識することができる。
図１２は、実施の形態１において、連動認識装置１が、関連付けられたリモコン２０が存在するかどうかに加え、関連付けられた温度センサが存在するかどうかに応じて、それぞれ、親吹出し口を特定し、連動して制御される複数の吹出し口３００の連動グループを認識する動作の一例のイメージを示す図である。
【００５７】
例えば、図１２に示すように、吹出し口１〜８の８つの吹出し口があり、そのうち、吹出し口１，３，５，７に温度センサが接続され、吹出し口１，５，７にリモコン２０が接続されているとする。
この場合、連動認識装置１において、親特定部１３は、温度センサに関する親吹出し口として吹出し口１，３，５，７を特定し、リモコン２０に関する親吹出し口として吹出し口１，５，７を特定する。
認識部１４は、吹出し口１，２、吹出し口３，４、吹出し口５，６、および、吹出し口７，８を、それぞれ、連動して制御されるべき測定温度連動グループであると認識する。また、認識部１４は、吹出し口１，２，３，４、吹出し口５，６、および、吹出し口７，８を、それぞれ、連動して制御されるべき、吹出し空気制御の連動グループであると認識する。
すなわち、吹出し口３，４は、温度測定に関する動作の際は、吹出し口１，２とは連動せず、吹出し口１，２とは別で制御されるが、吹出し空気制御に関する動作の際は、吹出し口１，２と連動して制御されることになる。
【００５８】
このように、連動認識装置１では、吹出し口３００に関連付けられるリモコン２０に限らず、吹出し口３００との関連付けを判断できる装置であれば、リモコン２０以外の装置であっても、吹出し口３００との関連付けに基づき、連動グループを認識することができる。
【００５９】
以上の実施の形態１では、割り振り情報を設備関係情報とし、予め、管理者等が、割り振り情報を設定しておき、連動認識装置１は、当該割り振り情報に基づき、連動して制御される連動グループを認識するものとした。しかしながら、これは一例に過ぎず、連動認識装置１は、その他の方法で、親を特定し、連動グループを認識することができる。以下、連動認識装置１が、親を特定し、連動グループを認識するその他の方法について、例をあげて説明する。
例えば、吹出し口３００から送信される、当該吹出し口３００がリモコン２０と接続されているか否かの情報を設備関係情報とし、連動認識装置１は、当該情報に基づき、親を特定し、連動グループを認識するようにしてもよい。
この場合、予め、親吹出し口にはリモコン２０がケーブルで接続されているものとし、制御装置２は、連動認識装置１からモニタコマンドを受信した際に、自身にリモコン２０がケーブル接続されているか否かの情報を返答するようにする。そして、連動認識装置１では、親特定部１３が、リモコン２０が接続されているとの返答を受信した制御装置２を備えた吹出し口３００を、親吹出し口と特定する。その後、認識部１４が連動グループを認識する動作については、上記で説明した内容と同様であるので重複した説明を省略する（図６のステップＳＴ６０７参照）。
なお、制御装置２から送信される、モニタコマンドに対する返答には、返答元である制御装置２を備えた吹出し口３００のアドレス、および、接続されているリモコン２０がある場合は当該リモコン２０のアドレスの情報が付与されている。
【００６０】
また、例えば、吹出し口３００から送信される、自身が親吹出し口であるか否かを表すスイッチの情報を設備関係情報としてもよい。
この場合、予め、各吹出し口３００には、親吹出し口であるか子吹出し口であるかを表すスイッチが設けられているものとし、連動認識装置１は、当該スイッチの情報に基づき、連動グループを認識する。
具体的には、制御装置２は、連動認識装置１からモニタコマンドを受信した際に、自身に設けられているスイッチの情報を返答するようにする。そして、連動認識装置１では、親特定部１３が、スイッチの情報が親スイッチを示している制御装置２を備えた吹出し口３００を、親吹出し口と特定する。その後、認識部１４が連動グループを認識する動作については、上記で説明した内容と同様であるので重複した説明を省略する。
なお、制御装置２から送信される、モニタコマンドに対する返答には、スイッチの情報とともに、返答元である制御装置２を備えた吹出し口３００のアドレスの情報が付与されている。
【００６１】
また、連動認識装置１が、制御装置２から返答されるスイッチの情報から親吹出し口であるか否かを特定するのではなく、制御装置２が、直接、自身が親吹出し口であるか否かを表す情報を返答するようにしてもよい。
この場合、予め、管理者等が、親吹出し口とする吹出し口３００に備えられた制御装置２に、親である旨の情報を書き込んでおくようにする。
具体的には、制御装置２は、連動認識装置１からモニタコマンドを受信した際に、自身が親である旨の情報を保持していれば、当該情報を、返答する。そして、連動認識装置１では、親特定部１３が、自身が親である旨の情報を返答した制御装置２を備えた吹出し口３００を、親吹出し口と特定する。その後、認識部１４が連動グループを認識する動作については、上記で説明した内容と同様であるので重複した説明を省略する。
なお、制御装置２から送信される、モニタコマンドに対する返答には、自身が親である旨の情報とともに、返答元である制御装置２を備えた吹出し口３００のアドレスの情報が付与されている。また、自身が親でない吹出し口３００については、制御装置２は、連動認識装置１からのモニタコマンドに対して、返答元である制御装置２を備えた吹出し口３００のアドレスの情報を付与した、自身が親でない旨の情報を返答する。
【００６２】
また、例えば、予め、管理者等が、リモコン２０にもアドレスを付与するようにしておき、連動認識装置１が、当該リモコン２０にもモニタコマンドを送信して、連動グループを認識することもできる。
この場合、連動認識装置１は、リモコン２０および吹出し口３００に付与されたアドレスに対してモニタコマンドを送信する。具体的には、連動認識装置１は、リモコン２０、および、吹出し口３００に備えられた制御装置２に対してモニタコマンドを送信する。
そして、連動認識装置１の親特定部１３は、モニタコマンドに対する返答が、リモコン２０から返ってきた返答である場合に、当該リモコン２０を親と特定し、当該リモコン２０のアドレスを親のアドレスと特定するようにする。そして、認識部１４は、制御装置２からの返答に対して、当該制御装置２が備えられた吹出し口３００のアドレスを子のアドレスとして、当該子のアドレスよりも小さい、直近のアドレスを有するリモコン２０を、当該子のアドレスを有する吹出し口３００の連動先とし、連動グループを認識する。
リモコン２０、および、制御装置２から送信される、モニタコマンドに対する返答には、返答元であるリモコン２０、および、返答元である制御装置２を備えた吹出し口３００のアドレスの情報が付与されている。
なお、上記は、連動先としたいリモコン２０には、連動して制御させる吹出し口３００のアドレスよりも小さいアドレスが割り振られていることを前提とした例である。これに限らず、例えば、連動先としたいリモコン２０には、連動して制御させる吹出し口３００のアドレスよりも大きいアドレスが割り振られている場合には、認識部１４は、子のアドレスよりも大きい直近のアドレスを有するリモコン２０を、当該子のアドレスを有する吹出し口３００の連動先とし、連動グループを認識するようにする。
【００６３】
このように、連動認識装置１は、各種の方法で、親を特定し、連動グループを認識することができる。
【００６４】
また、以上の実施の形態１では、連動認識装置１は、吹出し口３００のアドレスとリモコン２０または温度センサとの関連付けを示す情報に基づき連動して制御されるべき吹出し口３００の連動グループを認識するものとしたが、これは一例に過ぎない。連動認識装置１は、施設内の設備と、当該設備に対応する装置とが関連付けられた情報等、施設内の設備に関わる設備関係情報に基づき、施設内の設備の連動グループの認識することができる。
設備とは、吹出し口３００の他、例えば、送風ファン、または、空調機等、風量を調整する可変風量制御設備である。
また、装置とは、リモコン２０の他、例えば、スイッチ、可変ボリューム、または、リモコンの受信機等、設備の動作に関連する設定を行う設定装置である。また、装置とは、例えば、温度センサ、湿度センサ、または、ほこり・粉塵センサ等、設備の動作に関連する検出を行う検出装置であってもよい。
また、以上の実施の形態１では、制御装置２は、各吹出し口３００に備えられるものとしたが、これに限らず、例えば、サーバにおいて、施設内の各設備と、当該各設備に対応する各装置とが関連付けられた情報等、施設内の設備に関わる設備関係情報を記憶しておき、連動認識装置１は、ネットワークを介してサーバから当該設備関係情報を参照して、連動グループの認識を行うようにしてもよい。
【００６５】
以上のように、この実施の形態１によれば、予め、連動して制御される設備（吹出し口３００）のうち、代表とする１つの設備に一番小さいアドレスが割り振られている場合において、施設内に設置された複数の設備に関わる設備関係情報に基づき、関連する装置（リモコン２０）が存在する設備を親設備（親吹出し口）として特定する親特定部１３と、複数の設備のうち、親特定部１３が特定した親設備以外の子設備（子吹出し口）について、当該子設備に割り振られているアドレスよりも小さく、かつ、当該子設備に割り振られているアドレスの直近のアドレスが割り振られている親設備を、当該子設備の連動先と認識する認識部１４とを備えるように構成した。また、予め、連動して制御される設備のうち、代表とする１つの設備に一番大きいアドレスが割り振られている場合において、施設内に設置された複数の設備に関わる設備関係情報に基づき、関連する装置（リモコン２０）が存在する設備を親設備（親吹出し口）として特定する親特定部１３と、複数の設備のうち、親特定部１３が特定した親設備以外の子設備（子吹出し口）について、当該子設備に割り振られているアドレスよりも大きく、かつ、当該子設備に割り振られているアドレスの直近のアドレスが割り振られている親設備を、当該子設備の連動先と認識する認識部１４とを備えるように構成した。
そのため、連動して制御される設備の連動グループを認識することができる。
【００６６】
なお、本願発明はその発明の範囲内において、実施の形態の任意の構成要素の変形、もしくは実施の形態の任意の構成要素の省略が可能である。
【符号の説明】
【００６７】
１  連動認識装置
２  制御装置
１１  コマンド送信部
１２  割り振り情報受信部
１３  親特定部
１４  認識部
２０，２０ａ〜２０ｄ  リモコン
２１  コマンド受信部
２２  割り振り情報取得部
２３  割り振り情報送信部
２４  割り振り情報記憶部
１００  空調機
２００ａ〜２００ｄ  部屋
３００，３００ａ〜３００ｅ  吹出し口
４００  チャンバ
５００ａ〜５００ｅ  ダクト
【図１】
2019002608.tif 000003
【図２】
2019002608.tif 000004
【図３】
2019002608.tif 000005
【図４】
2019002608.tif 000006
【図５】
2019002608.tif 000007
【図６】
2019002608.tif 000008
【図７】
2019002608.tif 000009
【図８】
2019002608.tif 000010
【図９】
2019002608.tif 000011
【図１０】
2019002608.tif 000012
【図１１】
2019002608.tif 000013
【図１２】
2019002608.tif 000014